(57)【要約】【課題】共有データを記憶しているコンピュータの現地時間を共有データを閲覧する際に把握することができる画像表示制御システム、画像表示制御方法およびプログラムを提供する。【解決手段】送信側ホストコンピュータ１０は、共有ファイルの一覧情報および現地時刻情報をアクセスがあった受信側ホストコンピュータ１２に送信し、受信側ホストコンピュータ１２は、受信した現地時刻情報に対応した時刻対応データを読み出し、時刻対応データと共に前記共有データを表示する。【選択図】      図１
2007322513.tif 000002
【特許請求の範囲】
【請求項１】
共有データを備えた送信側情報処理装置と、前記共有データをネットワークを介して閲覧する受信側情報処理装置とから構成される画像表示制御システムであって、
前記送信側情報処理装置は、
前記受信側情報処理装置からアクセスがあった場合、前記共有データの一覧情報および前記送信側情報処理装置が設置されている現地時刻情報をアクセスがあった前記受信側情報処理装置に送信する送信手段を備え、
前記受信側情報処理装置は、
時刻対応データを記憶した記憶手段と、
前記送信手段により送信された前記共有データの一覧情報と前記送信側情報処理装置が設置されている現地時刻情報とを受信し、受信した前記現地時刻情報に対応した時刻対応データを記憶手段から読み出す読み出し手段と、
前記読み出し手段によって読み出された時刻対応データと、受信した前記共有データの一覧情報とを関連付けて、前記時刻対応データと共に前記共有データを表示する表示手段とを備えることを特徴とする画像表示制御システム。
【請求項２】
請求項１に記載の画像表示制御システムにおいて、
前記送信側および受信側情報処理装置は、それぞれ時差のある遠隔地同士で前記ネットワークを介して接続されていることを特徴とする画像表示制御システム。
【請求項３】
請求項１に記載の画像表示制御システムにおいて、
前記時刻対応データは、時刻に対応した画像データ、時刻に対応した形状データ、および時刻に対応した色データのうち少なくとも１つ以上であることを特徴とする画像表示制御システム。
【請求項４】
請求項２に記載の画像表示制御システムにおいて、
記共有データは、所定のファイル、それぞれの前記情報処理装置へのログイン情報、および所定のサーバ装置の使用情報のうち少なくとも１つ以上であることを特徴とする画像表示制御システム。
【請求項５】
共有データを備えた送信側情報処理装置と、前記共有データをネットワークを介して閲覧する受信側情報処理装置とから構成される画像表示制御システムの画像表示制御方法であって、
前記受信側情報処理装置に時刻対応データを記憶手段に記憶する記憶ステップと、
前記送信側情報処理装置に前記受信側情報処理装置からアクセスがあった場合、前記共有データの一覧情報および前記送信側情報処理装置が設置されている現地時刻情報をアクセスがあった前記受信側情報処理装置に送信する送信ステップと、
前記送信ステップにより送信された前記共有データの一覧情報および前記送信側情報処理装置が設置されている現地時刻情報が前記受信側情報処理装置により受信され、受信された前記現地時刻情報に対応した時刻対応データを前記記憶手段から読み出す読み出しステップと、
前記読み出しステップによって読み出された時刻対応データと、受信した前記共有データの一覧情報とを関連付けて、前記時刻対応データと共に前記共有データを前記受信側情報処理装置に表示する表示ステップとを有することを特徴とする画像表示制御方法。
【請求項６】
請求項５に記載の画像表示制御方法において、
前記送信側および受信側情報処理装置は、それぞれ時差のある遠隔地同士で前記ネットワークを介して接続されていることを特徴とする画像表示制御方法。
【請求項７】
請求項５に記載の画像表示制御方法において、
前記時刻対応データは、時刻に対応した画像データ、時刻に対応した形状データ、および時刻に対応した色データのうち少なくとも１つ以上であることを特徴とする画像表示制御方法。
【請求項８】
請求項２に記載の画像表示制御方法において、
記共有データは、所定のファイル、それぞれの前記情報処理装置へのログイン情報、および所定のサーバ装置の使用情報のうち少なくとも１つ以上であることを特徴とする画像表示制御方法。
【請求項９】
コンピュータに、
受信側情報処理装置に時刻対応データを記憶手段に記憶する記憶手順と、
共有データを備えた送信側情報処理装置に前記受信側情報処理装置からネットワークを経由してアクセスがあった場合、前記共有データの一覧情報および前記送信側情報処理装置が設置されている現地時刻情報を、アクセスがあった前記受信側情報処理装置に送信する送信手順と、
前記送信手順により送信された前記共有データの一覧情報と前記送信側情報処理装置が設置されている現地時刻情報とが前記受信側情報処理装置により受信され、受信された前記現地時刻情報に対応した時刻対応データを前記記憶手段から読み出す読み出し手順と、
前記読み出し手順によって読み出された時刻対応データと、受信した前記共有データの一覧情報とを関連付けて、前記時刻対応データと共に前記共有データを前記受信側情報処理装置に表示する表示手順と
を実行させるためのプログラム。
【発明の詳細な説明】
【技術分野】
【０００１】
本発明は、ネットワークで接続されたコンピュータの共有データの表示技術に係り、特にコンピュータが設置されている現地の時刻に対応して視覚的に表示できる画像表示制御システム、画像表示制御方法およびプログラムに関する。
【背景技術】
【０００２】
一般的に、ネットワークに接続されたコンピュータ上にある共有データを表示させる場合、共有データを記憶しているコンピュータが設置されている場所の現地時刻を表示することはない。例えば特開平１１−１８４６０３号公報に開示されているように、共有データを閲覧する閲覧者のコンピュータが設置されている場所の現地時刻に対応して画像等を表示する技術が開示されている（特許文献１参照）。
【特許文献１】特開平１１−１８４６０３号公報
【発明の開示】
【発明が解決しようとする課題】
【０００３】
しかし、上述した技術では、共有データを閲覧する閲覧者のコンピュータが設置されている場所の現地時刻に対応して画像等を表示し、共有データを記憶しているコンピュータが設置されている場所の現地時刻を表示することができないので、共有データを記憶しているコンピュータと共有データを閲覧するコンピュータとに時差がある場合は、共有データを閲覧するコンピュータから共有データを記憶しているコンピュータの現地時間を把握することができない。
【０００４】
本発明の目的は、共有データを記憶しているコンピュータの現地時間を共有データを閲覧する際に把握することができる画像表示制御システム、画像表示制御方法およびプログラムを提供することである。
【課題を解決するための手段】
【０００５】
上記目的を達成するために、本発明に係る画像表示制御システムは、共有データを備えた送信側情報処理装置と、前記共有データをネットワークを介して閲覧する受信側情報処理装置とから構成される画像表示制御システムであって、前記送信側情報処理装置は、前記受信側情報処理装置からアクセスがあった場合、前記共有データの一覧情報および前記送信側情報処理装置が設置されている現地時刻情報をアクセスがあった前記受信側情報処理装置に送信する送信手段を備え、前記受信側情報処理装置は、時刻対応データを記憶した記憶手段と、前記送信手段により送信された前記共有データの一覧情報と前記送信側情報処理装置が設置されている現地時刻情報とを受信し、受信した前記現地時刻情報に対応した時刻対応データを記憶手段から読み出す読み出し手段と、前記読み出し手段によって読み出された時刻対応データと、受信した前記共有データの一覧情報とを関連付けて、前記時刻対応データと共に前記共有データを表示する表示手段とを備えることを特徴とする画像表示制御システムが提供される。
【０００６】
また、本発明に係るプログラムは、コンピュータに、受信側情報処理装置に時刻対応データを記憶手段に記憶する記憶手順と、共有データを備えた送信側情報処理装置に前記受信側情報処理装置からネットワークを経由してアクセスがあった場合、前記共有データの一覧情報および前記送信側情報処理装置が設置されている現地時刻情報を、アクセスがあった前記受信側情報処理装置に送信する送信手順と、前記送信手順により送信された前記共有データの一覧情報と前記送信側情報処理装置が設置されている現地時刻情報とが前記受信側情報処理装置により受信され、受信された前記現地時刻情報に対応した時刻対応データを前記記憶手段から読み出す読み出し手順と、前記読み出し手順によって読み出された時刻対応データと、受信した前記共有データの一覧情報とを関連付けて、前記時刻対応データと共に前記共有データを前記受信側情報処理装置に表示する表示手順とを実行させることを特徴とする。
【発明の効果】
【０００７】
本発明を用いることにより、共有データを記憶しているコンピュータの現地時間を共有データを閲覧する際に把握することができる画像表示制御システム、画像表示制御方法およびプログラムを提供することができる。
【発明を実施するための最良の形態】
【０００８】
以下図面を参照して、本発明の実施形態について説明する。
【０００９】
図１には、本発明の一実施形態に係る画像表示制御システムの模式図が示されている。当該画像表示制御システムは、例えば、共有データを記憶しているコンピュータと、共有データを閲覧するコンピュータとに時差がある場合に、共有データを閲覧するコンピュータから共有データを記憶しているコンピュータの現地時間を把握することができるようにする技術である。また、共有データとしては、共有データを記憶しているコンピュータ上で共有設定が行われているファイルとして以下に説明する。
【００１０】
画像表示制御システムは、共有ファイルを記憶している複数の送信側ホストコンピュータ１０と、これらの送信側ホストコンピュータ１０に接続可能なインターネット等のネットワーク１１と、このネットワーク１１に接続可能な共有ファイルを閲覧する複数の受信側ホストコンピュータ１２とから構成されている。
【００１１】
図２は、本発明の一実施形態に係る画像表示制御システムの要部構成を示すブロック図である。
【００１２】
送信側ホストコンピュータ１０は、送信側ホストコンピュータ１０が設置されている現在時刻（現地時刻）を記憶している現在時刻保持部１０６と、現在時刻保持部１０６から時刻情報を読み込む時刻読み込み部１０５と、共有設定がされた共有ファイルを記憶しておくハードディスクドライブ（ＨＤＤ）等の記憶装置１０１と、記憶装置１０１から共有ファイル等の共有データの一覧を読み込む共有データ一覧読み込み部１０４と、受信側のホストコンピュータ１２からのリクエストに応じて、時刻読み込み部１０５から呼び出した現在時刻情報と、共有データ一覧読み込み部１０４から呼び出した共有データ一覧情報とを関連付けを行う制御部１０２と、関連付けられた現在時刻情報および共有データ一覧情報を通信入出力装置１０３を経由して、リクエストのあった受信側のホストコンピュータ１２に送信するデータ送信部１０７と、通信入出力装置１０３とから構成されている。
【００１３】
受信側のホストコンピュータ１２は、通信入出力装置１１３と、ネットワーク１１および通信入出力装置１１３を経由して現在時刻情報および共有データ一覧情報を受信するデータ受信部１１２と、時刻対応データである画像データ（背景画像）と時刻との対応表情報およびファイルの一覧表示枠内に表示させる背景画像（一覧表示枠内背景画像）等を記憶したハードディスクドライブ（ＨＤＤ）等の記憶装置１１１と、背景画像を一覧表示枠内背景画像を参照してデータ受信部１１２により受信した現在時刻情報および共有データ一覧情報に対応した背景画像を記憶装置１１１から読み出す背景画像決定部１１４と、背景画像決定部１１４により読み出された背景画像とデータ受信部１１２により受信した共有データ一覧情報とを関連付けて表示画面を作成する共有ファイル一覧表示画像作成部１１５と、共有ファイル一覧表示画像作成部１１５により作成された表示画面を表示装置１１７に表示するための制御を行う表示装置制御部１１６と、表示画面を表示する表示装置１１７とから構成されている。
【００１４】
次に、本発明の一実施形態に係る画像表示制御システムを適用した画像表示制御方法およびプログラムについて図３のフローチャートを参照して説明する。
【００１５】
まず、受信側ホストコンピュータ１２の記憶装置１１１に、予め時刻対応データである時刻に対応した「背景画像」および「背景画像と時刻との対応表」を記憶しておく。
【００１６】
送信側ホストコンピュータ１０の時刻読み込み部１０５は、受信側ホストコンピュータ１２から共有ファイルの閲覧のリクエストがあった場合、時刻情報を現在時刻保持部１０６から読み出し制御部１０２に送る。さらに、共有データ一覧読み込み部１０４は、記憶装置１０１から共有データの一覧情報を読み出し制御部１０２に送る（ステップＳ１０１）。
【００１７】
制御部１０２は、受信した時刻情報および共有データの一覧情報を関連付けてデータ送信部１０７に送る。データ送信部１０７は、通信入出力装置１０３およびネットワーク１１を経由して受信側ホストコンピュータ１２に送信する（ステップＳ１０２）。受信側ホストコンピュータ１２は、通信入出力装置１１３を経由して関連付けられた時刻情報および共有データの一覧情報を受信する（ステップＳ１０３）。受信側ホストコンピュータ１２の背景画像決定部１１４は、記憶装置１１１から「背景画像と時刻との対応表」を読み出し、受信した時刻情報に対応する背景画像を決定する（ステップＳ１０４）。この時刻情報に対応する背景画像の決定処理は、図４に示した「背景画像と時刻との対応表」によって行われる。例えば、送信側ホストコンピュータ１０から受信した時刻情報が朝の６：００であった場合、朝の６：００は、「背景画像と時刻との対応表」の５：０１〜９：００までの間に当てはまるので、適用ファイルの「００１．ｊｐｇ」が背景画像として決定される。適用ファイルの「００１．ｊｐｇ」は、例えば、図５に示すように、直感的に時刻を把握することができる朝日の画像が描かれた背景画像となっている。
【００１８】
そして、共有ファイル一覧表示画像作成部１１５は、背景画像決定部１１４によって決定された背景画像を記憶装置１１１から読み出し、送信側ホストコンピュータ１０から受信した共有データの一覧情報と関連付けて、図５に示すような共有ファイル一覧の表示図形（表示画面）を決定し、作成する（ステップＳ１０５）。続いて、表示装置制御部１１６は、作成された共有ファイル一覧の表示図形を表示装置１１７に出力する。
【００１９】
上述した背景画像としては、図４に示した「背景画像と時刻との対応表」の９：０１〜１５：００までの間に当てはまる適用ファイルの「００２．ｊｐｇ」である例えば太陽が高く登っている昼の画像（図６参照）や、１５：０１〜１８：００までの間に当てはまる適用ファイルの「００３．ｊｐｇ」である例えば夕日が沈んでいる夕方の画像（図７参照）、１８：０１〜５：００までの間に当てはまる適用ファイルの「００４．ｊｐｇ」である例えば月が表示されている夜の画像（図８参照）等を用いることができる。これらの画面を例えば１つの表示画面中に表示する場合等には、共有ファイルのある場所の時間帯を直感的に把握することができる。例えばロサンゼルスに設置されている共有ファイルは朝方の時間帯であり、ベネズエラに設置されている共有ファイルは昼間の時間帯であり、ドイツに設置されている共有ファイルは夕方の時間帯であり、シンガポールに設置されている共有ファイルは夜の時間帯でありことが一目で把握できる。なお、背景画像については、上述した時刻に対応した天体の画像だけでなく、時刻に対応した画像であれば特に限定されるものではない。例えば、一日の生活の風景である起床、仕事、就寝等をモチーフにした画像等であってもよい。
【００２０】
また、送信側ホストコンピュータ１０から送信される時刻情報は、送信側ホストコンピュータ１０が備えている現在時刻保持部１０６から読み出した情報であるが、送信側ホストコンピュータ１０が現在時刻保持部１０６を備えす、ネットワーク１１経由で送信側ホストコンピュータ１０が設置されている場所の時刻情報を取得するようにしてもよい。さらに、受信側ホストコンピュータ１２は、背景画像を記憶装置１１１に記憶しているが、ネットワーク１１を経由して所定のサーバ等にある画像データを取得するようにしてもよい。
【００２１】
以上、詳述したように、共有データを記憶しているコンピュータの現地時間を共有データを閲覧するコンピュータ側で表示される画像によって直感的に把握することができる。
【００２２】
また、共有データとしては、上述したように所定の共有ファイル以外にも、共有データを記憶しているコンピュータへのログイン情報、およびメールサーバ等の所定のサーバ装置の使用情報（履歴情報、利用者リスト等）等が考えられる。例えば、共有データを記憶しているコンピュータへのログイン情報については、図９に示すように、例えば共有データを記憶しているコンピュータへの各ユーザのログイン情報を示すことができる。例えば、ログインしているあるユーザが使用しているコンピュータが設置されている現地時刻は、昼間の時間帯であるので昼間の画像２１０が表示され、あるユーザが使用しているコンピュータが設置されている現地時刻は、夕方の時間帯であるので夕方の画像２１１が表示され、あるユーザが使用しているコンピュータが設置されている現地時刻は、夜の時間帯であるので夜の画像２１２が表示され、あるユーザが使用しているコンピュータが設置されている現地時刻は、朝方の時間帯であるので朝方の画像２１３が表示される。このように、共有データを記憶しているコンピュータへのログイン情報についても、ログインしている各ユーザの現地時刻の時間帯を背景画像により直感的に把握することができる。また、メールソフト等のアドレス帳に同様の表示を行うことにより、送信先の現地時刻を直感的に把握することができる。また同様に、メールサーバ等の所定のサーバ装置の利用者リストにも適用することができる。
【００２３】
さらに、図１０は、データベース等のデータリストに適用した場合を示したデータリストの模式図である。例えば、ネットワークで接続され世界各地に散らばっているデータリストを表示する場合、各データが記憶されているコンピュータの現地時間を色を区別して表示することにより、現地時刻の時間帯を直感的に把握することができる。例えば、一日の時間帯を上述した図４のように４つの時間帯に分けた場合、ファイル０００１．ｔｘｔ（２２０）が記憶されているコンピュータは、一番暗い色の背景色であるので夜の時間帯であり、ファイル０００２．ｔｘｔ（２２１）が記憶されているコンピュータは、少し暗い色の背景色であるので夕方の時間帯であり、ファイル０００３．ｔｘｔ（２２２）が記憶されているコンピュータは、少し明るいの背景色であるので朝方の時間帯であり、ファイル０００４．ｔｘｔ（２２３）が記憶されているコンピュータは、一番明るい背景色であるので昼の時間帯であることが一目で把握することができる。
【００２４】
また、図１１は、時間帯によって表示するウインドウの枠の形を変化させる利用形態を示した模式図である。例えば、朝方の時間帯には「角が取れた長方形２３０」の枠を適用し、昼方の時間帯には、「楕円形２３１」の枠を適用し、夕方の時間帯には、「三角形２３２」の枠を適用し、夜方の時間帯には、「波状２３３」の枠を適用する。これにより、各枠内に表示されたファイルやユーザ情報等の各種情報が記憶されているコンピュータの現地時間を一目で把握することができる。
【００２５】
さらに、図１２は、時間帯によって表示するアイコンの形を変化させる利用形態を示した模式図である。例えば、朝方の時間帯には「色の付いたファイル状のアイコン」を適用し、昼方の時間帯には、「色のないファイル状のアイコン」の枠を適用し、夕方の時間帯には、「エクスクラメーションマークのアイコン」を適用し、夜方の時間帯には、「家状のアイコン」を適用する。これにより、アイコンで表示されたファイル等のが記憶されているコンピュータの現地時間を一目で把握することができる。
【００２６】
また、上述した実施形態では、現地の時刻情報に対応した画像情報等を表示することで、直感的に現地の時間帯を把握することができるが、画像情報等に加えて、時刻情報そのものを同時に表示するようにしてもよい。
【００２７】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】本発明の一実施形態に係る画像表示制御システムの模式図。
【図２】本発明の一実施形態に係る画像表示制御システムの要部構成を示すブロック図。
【図３】本発明の一実施形態に係る画像表示制御システムを適用した画像表示制御方法およびプログラムについて説明したフローチャート。
【図４】「背景画像と時刻との対応表」を示した模式図。
【図５】朝方の時間帯に使用する共有ファイル一覧の表示図形を示した模式図。
【図６】昼間の時間帯に使用する共有ファイル一覧の表示図形を示した模式図。
【図７】夕方の時間帯に使用する共有ファイル一覧の表示図形を示した模式図。
【図８】夜の時間帯に使用する共有ファイル一覧の表示図形を示した模式図。
【図９】共有データを記憶しているコンピュータへの各ユーザのログイン情報を示すを示した模式図。
【図１０】データベース等のデータリストに適用した場合を示したデータリストの模式図。
【図１１】時間帯によって表示するウインドウの枠の形を変化させる利用形態を示した模式図。
【図１２】時間帯によって表示するアイコンの形を変化させる利用形態を示した模式図。
【符号の説明】
【００２９】
１０…送信側ホストコンピュータ、１１…ネットワーク、１２…受信側ホストコンピュータ、１０１…記憶装置、１０２…制御部、１０３…通信入出力装置、１０４…共有データ一覧読み込み部、１０５…時刻読み込み部、１０６…現在時刻保持部、１０７…データ送信部、１１１…記憶装置、１１２…データ受信部、１１３…通信入出力装置、１１４…背景画像決定部、１１５…共有ファイル一覧表示画像作成部、１１６…表示装置制御部、１１７…表示装置。
【図１】
2007322513.tif 000003
【図２】
2007322513.tif 000004
【図３】
2007322513.tif 000005
【図４】
2007322513.tif 000006
【図５】
2007322513.tif 000007
【図６】
2007322513.tif 000008
【図７】
2007322513.tif 000009
【図８】
2007322513.tif 000010
【図９】
2007322513.tif 000011
【図１０】
2007322513.tif 000012
【図１１】
2007322513.tif 000013
【図１２】
2007322513.tif 000014